(57)【特許請求の範囲】
【請求項１】
直角四辺形の平板の周りに横断面が山形の支柱を少なくとも４個固定し、各支柱の下端に下向きの雌ねじを固定し、雌ねじに自在キャスターの取付用ボルトを着脱自在にして、何れの方向にも進行自在とした運搬車において、上記雌ねじの下端を突出させて突出部の下端外面を正方形、正六角形又は正八角形からなる角柱とし、新たに回り止めを用意し、回り止めには自在キャスターの本体部を固定するための固定部と、自在キャスターの取付用ボルトの貫通孔と、貫通孔の周りに上記角柱を嵌入させるための切欠とを設けておき、回り止めを支柱と自在キャスターとの間に固定して、直進し易くすることを特徴とする運搬車。
【請求項２】
前記回り止めが、前記固定部と貫通孔とを備えた下板に、切欠を打ち抜いた上板を溶接して作られていることを特徴とする、請求項１に記載の運搬車。
【請求項３】
前記下板と上板との間に位置決め用孔と位置決め用突起とを設けて、位置決め用突起を位置決め用孔内に嵌入させて、下板に設けた貫通孔の周りに上板に設けた切欠を確実に位置させ、溶接して回り止めが作られていることを特徴とする、請求項２に記載の運搬車。
【請求項４】
前記角柱を構成する外面のうちの少なくとも２つの外面が、支柱を構成する外面の１つと平行に延びていることを特徴とする、請求項１−３の何れか１つの項に記載の運搬車。
【請求項５】
前記角柱が正六角形である場合に、回り止めに設けた切欠が、正六角形切欠と、さらにその六角形切欠が同心で３０度の角度だけ回転してなる正六角形の切欠とを重ねて設けた形状となっていることを特徴とする、請求項１−４の何れか１つの項に記載の運搬車。
【発明の詳細な説明】
【技術分野】
【０００１】
この発明は、運搬車に関するものである。とくに、この発明は進行方向を自在に変更できることを原則とする運搬車であるが、必要に応じて一定方向に直進させ易いように容易に改変することができる運搬車に関するものである。
【背景技術】
【０００２】
進行方向を自在に変更できる運搬車は公知である。それは、例えば特開平１２−６０６５６号、特開２０００−１５３７６１号、及び特開２００６−１２２１９１号公報などに記載されている。
これらの公報に記載されている運搬車の代表的なものは、図１に示したような構造のものである。図１に示した運搬車は、直角四辺形の平らな天板Ｐと底板Ｑとを上下に平行に並べ、その四隅に山形鋼からなる４本の支柱Ｒを固定し、各支柱Ｒの下端に自在キャスターＳを付設して作られている。
【０００３】
図１の運搬車に用いられている自在キャスターＳは、図２に示したような構造のものである。図２において、Ａは自在キャスターの本体部であって、円筒部Ｂと車輪の支持部Ｃとからなる。円筒部Ｂは取付用ボルトＤと基板Ｅとを支えるための部分である。取付用ボルトＤはそれ自体を中心として基板Ｅとともに円筒部Ｂ上で回転自在にされている。とくに、基板Ｅと円筒部Ｂとの間には鋼球Ｈが介在していて、基板を回転し易くしている。取付用ボルトＤと基板Ｅとの間にあるナットＪは取付用ボルトＤを回転させるためのもので、自在キャスターを支柱に取り付けるときに使用される。車輪の支持部Ｃは断面がコの字状になっていて、車輪Ｆを軸Ｇで支持して、車輪Ｆを回転可能に保持している。
【０００４】
自在キャスターＳでは軸Ｇが取付用ボルトＤの軸線から外れたところに位置している。そのため、自在キャスターを或る方向に移動させると、自在キャスターは取付用ボルトを前にし、軸Ｇを後にする配置を取る。その結果、車輪Ｆは自然に移動方向に向くことになり、移動方向へ進むに好都合な状態となる。従って、自在キャスターは何れの方向にも容易に進行できることとなる。
図１に示した運搬車は、４個の支柱のすべてに自在キャスターが付設されているため、運搬車は押される何れの方向にも容易に進行できることとなっている。
【０００５】
ところが、このような運搬車は各自在キャスターが余りにも容易に押される方向に進行するので、却って一定方向に直進させることが困難である、という欠点を示すことが判明した。とくに、重量の大きな荷物を乗せて押すとき、又は道路に凹凸があるときは、この欠点が顕著に現れた。そこで、このような場合には運搬車を直進させるように改変でき、しかもその改変が簡単にできることが要望されるに至っている。
【先行技術文献】
【特許文献】
【０００６】
【特許文献１】特開平１２−６０６５６号公報
【特許文献２】特開２０００−１５３７６１号公報
【特許文献３】特開２００６−１２２１９１号公報
【発明の概要】
【発明が解決しようとする課題】
【０００７】
この発明は、上述の要望を満たすためになされたものである。すなわち、この発明は直角四辺形の平板の周りに横断面が山形の支柱を少なくとも４個固定し、各支柱の下端に自在キャスターを付設して任意の方向に自在に進行できるようにした運搬車において、直進させることが必要とされたときに、直進できるように容易に改変できる運搬車を提供しようとしてなされたものである。
【課題を解決するための手段】
【０００８】
この発明は、各支柱の下端に自在キャスターを付設した運搬車において、自在キャスターを各支柱の下端において着脱自在とし、直進させようとするときには、支柱と自在キャスターとの間に回り止めを取り付け、これにより自在キャスターの進行方向を規制して、直進を容易且つ確実にしようとするものである。
【０００９】
そのために、この発明は回り止めとして、図３に示したような構造のものを用いることとしている。図３において、回り止めＸは金属板を折曲して作られ、一端に軸部１を形成し、他端に固定部２を形成している。軸部１には貫通孔３が穿設され、貫通孔３の周りに正方形の切欠５が形成されている。この回り止めでは切欠５を形成するのに、便宜上切欠５を打ち抜いた上板４を軸部１と固定部２とを備えた下板の上に固定する、という簡単な手段を採っている。貫通孔３は自在キャスターの取付用ボルトＤを貫通させるためのものであり、軸部１は自在キャスターの円筒部Ｂの上に位置する部分である。
【００１０】
なお、図３において、６は上板４に穿設された位置決め用の孔であって、下板に設けられた位置決め用の突起を嵌入させて、上板４の切欠５が下板の貫通孔３の周りに確実に位置するようにしている。また７は上板４を下板に固定するための溶接部である。
回り止めＸの固定部２は、断面が下方に向かって開口するコの字状を呈して、内部に自在キャスターの車輪支持部Ｃの上端を収容し、支持部Ｃに外接して、自在キャスターの車輪Ｆの向きを固定する部分である。
この発明では、支柱の下端に雌ねじを下向きに付設して自在キャスターの取付用ボルトを着脱自在にするとともに、雌ねじの下端を突出させ、突出部の外面を多角柱にしておく。回り止めが図３に示したように正方形の切欠５を備えているときは、その多角柱を断面正方形として、突出部が回り止めの切欠５内に丁度嵌まる形状にしておく。
【００１１】
この発明では、支柱の下端に付設された自在キャスターを一旦外し、そこに図３に示したような回り止めＸを当接して、支柱下端の角柱を回り止めの切欠５内に嵌める。次いで、自在キャスターの取付用ボルトＤを回り止めの貫通孔３内に挿入し、自在キャスターのナットＪを回転させて取付用ボルトＤを支柱の雌ねじ内に嵌め込み、自在キャスターを支柱に固定する。
【００１２】
こうして、回り止めＸを支柱と自在キャスターとの間に介在させて、自在キャスターを支柱に固定すると、回り止めは切欠内に支柱の角柱を嵌入させているために、支柱に対して動き得ない状態に固定される。また、回り止めは、固定部２が自在キャスターの車輪支持部Ｃに外接しているために、自在キャスターの車輪は向きを変更できなくなっている。その結果、自在キャスターは一定の方向にのみ進行できることとなる。
運搬車に付設された４個の自在キャスターのうち、縦又は横に並ぶ２個の自在キャスターに、上述のようにして回り止めＸを付設すると、運搬車は直進することが容易且つ確実となる。このため、運搬車に重量の大きいものを載せたり、道路に傾斜又は凹凸があったりしても、運搬車は思わぬ方向に進むことが防がれる。
【００１３】
こうして、この発明は、直角四辺形の平板の周りに横断面が山形の支柱を少なくとも４個固定し、各支柱の下端に下向きの雌ねじを固定し、雌ねじに自在キャスターの取付用ボルトを着脱自在にして、何れの方向にも進行自在とした運搬車において、上記雌ねじの下端を突出させて突出部の外面を正方形、正六角形又は正八角形からなる角柱とし、新たに回り止めを用意し、回り止めには自在キャスターの本体部を固定するための固定部と、自在キャスターの取付用ボルトの貫通孔と、貫通孔の周りに上記角柱を嵌入させるための切欠とを設けておき、回り止めを支柱と自在キャスターとの間に固定して、直進し易くすることを特徴とする運搬車を提供するものである。
【発明の効果】
【００１４】
この発明では各支柱の下端に下向きの雌ねじを固定し、雌ねじに自在キャスターの取付用ボルトを嵌めて自在キャスターを支柱に取り付けているから、自在キャスターは支柱に着脱自在になっている。一方、回り止めＸには軸部１を設け、そこに貫通孔３を穿設したから、貫通孔に自在キャスターの取付用ボルトＤを挿通し、雌ねじに嵌めることによって、回り止めを支柱と自在キャスターとの間に容易に固定することができる。
【００１５】
また、回り止めＸには切欠５を設けたから、切欠５内に支柱下端の角柱を嵌め込むことにより、回り止めを支柱の定位置に容易且つ確実に固定することができる。さらに、回り止めＸには固定部を設けたから、固定部を自在キャスターの車輪支持部Ｃに外接させることにより、車輪の向きを一定に制御することができる。こうして、この発明によれば、車輪の向きを一定の方向に容易且つ確実に制限することができる。従って、容易に運搬車を直進させることができる。
【００１６】
運搬車を直進させるときの直進方向は、運搬車の台板を構成している直角四辺形の平板の辺、とりわけ長辺に平行でなければならない。この発明では、支柱に横断面が山形のものを使用したから、支柱を構成している山形の外面は当然直角四辺形の辺と平行になっている。従って、回り止めの固定部２の向く方向が、山形支柱の外面と平行になるように、切欠５と支柱がわの角柱との関係を調節することにより、容易且つ確実に直角四辺形の辺に平行に運搬車を直進させることができる。
とくにこの発明では角柱を正方形、正六角形又は正八角形から成るものとしたので、角柱の一面を支柱の一面と平行に向けることにより、容易に自在キャスターの進行方向を平板の辺と平行に向けることができる。
【００１７】
この発明では、支柱として横断面が山形のものを用いているから、４個の支柱は平板への取付位置によって、山の向く方向が変わることとなる。しかし、支柱に設けた角柱は断面が正方形、正六角形又は正八角形からなるものとしたから、山の向く方向が変わっても角柱の形状は変わりないから、同じ支柱を使用することができる。従って、部品の数を少なくして運搬車を組み立てることができるので経済的である。
【図面の簡単な説明】
【００１８】
【図１】公知の運搬車の斜視図である。
【図２】公知の自在キャスターの斜視図である。
【図３】この発明において用いられる回り止めの斜視図である。
【図４】この発明により、運搬車の支柱と自在キャスターとの間に、回り止めを付設するときの状態を示した斜視図である。
【図５】この発明において用いられる他の回り止めの平面図である。
【発明を実施するための形態】
【００１９】
この発明では、新たに回り止めを用意することが必要である。従って、回り止めは、この発明では重要な役目をしている。そこで、まず回り止めについて説明する。
図３に示した回り止めは、軸部１に正方形の切欠５が設けられている。この切欠が正方形とされたのは、図４に示したように、支柱Ｒの下端に突設された角柱Ｔに嵌合するためである。この場合、図３に示したように、切欠５の壁面５１を固定部２の延びる方向Ｚと平行に向けておき、他方、支柱Ｒでは角柱Ｔの外面を図４に示したように支柱Ｒの外面と平行にしておくと、回り止めＸを支柱Ｒへ付設したときに、固定部の延びる方向が支柱外面の向く方向と一致するので、車輪の進行方向を容易に知ることができる。従って、運搬車を台板、すなわち直角四辺形の平板の縁辺方向に確実に直進させることができる。
【００２０】
図５は、支柱Ｒの下端に突設した角柱が正六角柱である場合に、使用する回り止めの平面図である。角柱が正六角柱となるのは、雌ねじに普通のナットを使用した場合に起こることであるから、重要な意味を持っている。
角柱が正六角柱である場合には、正四角柱や正八角柱のときと違って、同じ支柱を四隅に使用した場合に、支柱を構成している山の向く方向によって六角柱の向く方向が異なることになる。詳しく云うと、隣り合う支柱の間では六角柱が同じ形となっていないで、３０度の角度だけ回転した形状となっている。
【００２１】
そのため、隣り合う支柱に同じ正六角形の切欠を持った回り止めを嵌めると、固定部の向きが異なることになる。これを避けるためには、切欠の向きが異なった２種類の回り止めを用意しなければならない。しかし、２種類の回り止めを用意して、これを使い分けることは煩瑣である。
そこでこの発明では、図５に示したような回り止めＹを使用することとする。図５に示した回り止めＹは、切欠の形状だけが図３に示した回り止めＸと異なっている。回り止めＹの切欠は１つの切欠が正六角形に沿って作られ、さらにその正六角形が中心をそのままの位置に置いて、３０度の角度だけ回転した状態のもう１つの正六角形に沿って重ねて切欠が作られている。
【００２２】
図５に示した回り止めＹにおいては、１つの正六角形の切欠の縁、すなわち切欠の壁面５１が、固定部２の延びる方向Ｚに平行に延びるようにしておくことが望ましい。なぜならば、このようにすると、この回り止めＹを支柱に固定したとき、車輪の向く方向を支柱外面と一致させ易く、従って、運搬車を支柱外面の向く方向に進行させ易いからである。
【００２３】
なお、図５の回り止めＹは、図３に示した回り止めＸと同様に、軸部１と固定部２とを備えた下板上に、切欠５を打ち抜いた上板４を固定して作られている。また、図５における６は位置決め用の孔であり、７は溶接部である。
支柱の下端に突設した角柱が正八角柱である場合には、角柱断面が正方形である場合と、全く同じように回り止めに正八角形の切欠を設けて、この発明を実施することができる。
この発明によれば、支柱がわに角柱を設け、簡単な回り止めを用意し、これを付設するだけで、容易に運搬車を直進させることができることとなるから、この発明は実用上の価値が大きい。
【符号の説明】
【００２４】
Ｐ               天板
Ｑ               底板
Ｒ               支柱
Ｓ               自在キャスター
Ｔ               角柱
Ａ               自在キャスターの本体部
Ｂ               円筒部
Ｃ               支持部
Ｄ               取付用ボルト
Ｅ               基板
Ｆ               車輪
Ｇ               軸
Ｈ               ボール
Ｘ、Ｙ           回り止め
Ｚ               固定部２の延びる方向
１               軸部
２               固定部
３               貫通孔
４               上板
５               切欠
６               位置決め用孔
７               溶接部
【図１】
0005369263.tif 000002
【図２】
0005369263.tif 000003
【図３】
0005369263.tif 000004
【図４】
0005369263.tif 000005
【図５】
0005369263.tif 000006